(57)【要約】【課題】筐体へのアンテナ本体取付けに際して、一方の分割筐体にのみに負荷が掛かることを防止し、かつ筐体にアンテナ本体を締結させるためのねじの取付け状態が、導通端子の防水機能を行うパッキンの圧縮反発力に影響を与えず、該パッキンの圧縮反発力を均一化させることができる携帯電子機器におけるアンテナの取付け構造を提供する。【解決手段】回路基板９と導通されるアンテナ本体１が筐体２の防水範囲の外側に設けられた携帯電子機器であって、筐体２は、回路基板９が内蔵される一対のフロント筐体５及びリア筐体６（分割筐体）により構成され、アンテナ本体１は、フロント筐体５及びリア筐体６を結ぶように配置された連結部材６０により該フロント筐体５及びリア筐体６に取付けられて、連結部材６０と回路基板９とは、防水機能を有する防水端子２０を介して別途導通されていることを特徴とする。【選択図】図１
2013143721.tif 000002
【特許請求の範囲】
【請求項１】
回路基板と導通されるアンテナ本体が筐体の防水範囲の外側に設けられた携帯電子機器であって、
前記筐体は、前記回路基板が内蔵される一対の分割筐体により構成され、
前記アンテナ本体は、前記分割筐体を結ぶように配置された連結部材により該分割筐体に取付けられ、
前記連結部材と前記回路基板とは防水機能を有する防水端子を介して導通されていることを特徴とする携帯電子機器におけるアンテナの取付け構造。
【請求項２】
前記防水端子は、前記アンテナ本体とは離れた位置でかつ別部材に設けられていることを特徴とする請求項１に記載の携帯電子機器におけるアンテナの取付け構造。
【請求項３】
前記連結部材は、前記アンテナ本体の軸体を挿通させるフランジ円筒部を有するフランジ部材と、前記分割筐体のいずれか一方に設けられて該フランジ円筒部に連結固定される固定ブロックと、を具備し、
前記フランジ部材のフランジ円筒部は、前記固定ブロックを介して前記一方の分割筐体に固定されるとともに、他方の分割筐体に形成された円柱状空間内に同軸上に挿入係合されることを特徴とする請求項１に記載の携帯電子機器におけるアンテナの取付け構造。
【請求項４】
前記連結部材は、前記アンテナ本体を両分割筐体に非スライド状態で固定することを特徴とする請求項１に記載の携帯電子機器におけるアンテナの取付け構造。
【請求項５】
前記防水端子は、いずれか一方の分割筐体の端子開口部を貫通し該端子開口部の間隙に防水部材となるパッキンが配置される防水端子を有することを特徴とする請求項１に記載の携帯電子機器におけるアンテナの取付け構造。
【請求項６】
前記防水端子は、中継端子を介して前記連結部材に接続されることを特徴とする請求項５に記載の携帯電子機器におけるアンテナの取付け構造。
【請求項７】
前記中継端子は、前記連結部材及び前記いずれか一方の分割筐体上の固定ブロックに対してねじ締結されることにより、前記アンテナ本体と導通することを特徴とする請求項６に記載の携帯電子機器におけるアンテナの取付け構造。
【請求項８】
前記中継端子と前記防水端子との接触部には、前記防水部材を密封止水する方向と直交する方向に該防水端子を付勢する付勢手段が設けられている請求項７に記載の携帯電子機器におけるアンテナの取付け構造。
【請求項９】
前記連結部材は、前記フランジ円筒部の外周面に設けられたフランジ部のねじ開口を介して前記いずれか一方の分割筐体上の固定ブロックに対してねじ締結されることを特徴とする請求項３に記載の携帯電子機器におけるアンテナの取付け構造。
【請求項１０】
前記防水端子は、前記分割筐体の内側位置にて、ばね性能を有する接続部を介して前記回路基板と接触されることを特徴とする請求項１に記載の携帯電子機器におけるアンテナの取付け構造。
【請求項１１】
前記防止端子は前記接続部の付勢により前記分割筐体の内壁に対して密着することにより、前記防水部材の密封止水する方向への圧縮変形に影響を与えないことを特徴とする請求項１０に記載の携帯電子機器におけるアンテナの取付け構造。
【請求項１２】
前記アンテナ本体は、前記連結手段のフランジ円筒部内にて該フランジ円筒部に対して軸方向にスライド自在に設けられるとともに、該スライド方向は、前記分割筐体の嵌合面とほぼ平行に位置することを特徴とする請求項３に記載の携帯電子機器におけるアンテナの取付け構造。
【発明の詳細な説明】
【技術分野】
【０００１】
本発明は、携帯電子機器（携帯電話、スマートホン、デジタル機器等）に係り、防水機能を備えた携帯電子機器におけるアンテナの取付け構造に関する。
【背景技術】
【０００２】
一般的に、携帯電子機器（携帯電話、スマートホン、デジタル機器等）は、地上デジタルテレビ放送を受信するホイップアンテナを装備している。
このホイップアンテナは電子機器の携行時に邪魔にならないよう筐体内部に納めることが可能で、かつ、受信時には受信感度を向上させるため筐体本体から離れるよう筐体から引き出す機構が設けられる場合がある（例えば、特許文献１に示す携帯情報端末）。
【０００３】
また、この種の携帯電子機器はその使用目的及び状況からして、屋内机上のみで使用するとは限らず、室外で使用することを考慮して防水機能を付加することが好ましい。
すなわち、このような防水機能を有する携帯電子機器では、筐体からのアンテナ引き出し機構部に、筐体内部の回路基板と導通、さらに防水機能を有する導通端子構成が必要となる。さらに携帯性の向上から機器の小型化、薄型化及び携帯時、使用時に機器が受ける負荷に耐え得る強度を有することも必要とされる。
【０００４】
そして、この種の防水機能を有する携帯電子機器として、例えば図８〜１１に示す構造体が知られている。
図８は防水機能を有する携帯電子機器におけるアンテナ取付け構造を示す分解斜視図、図９はアンテナ本体の基部を示す分解斜視図、図１０は図８をＥ−Ｅ線に沿って切断した断面図、図１１は図８をＦ−Ｆ線に沿って切断した断面図である。
【０００５】
これらの図に示される携帯電子機器におけるアンテナ取付け構造は、アンテナ本体４１の根元端部と、アンテナ取付け部材となるフランジ４２とをピン４３で固定し、該ピン４３の軸線５０を中心として、アンテナ本体４１をフランジ４２に対して回転自在とする。
フランジ４２は筐体４４に装着される。筐体４４は、フロント筐体４５と、リア筐体４６とに分割可能とされ、これら筐体４５・４６は図１０に示すように固定部材４４Ａで固定される。
【０００６】
アンテナ本体４１は、非使用状態ではリア筐体４６の凹部４６Ａ内に収容されており、根元端部のピン４３を起点として、根元と反対側の先端部を、筐体４４の凹部４７内に挿入した指で引掛けて引き上げることにより、筐体４４から引き起こすことができる。
そして、このようなアンテナ本体の引き出し機構の場合、アンテナ本体４１は筐体４４内部に完全に納まるものではなく、筐体４４のフォルムの仮想面の中に納まるとこにより携行時の利便性を得ている。
【０００７】
この携帯電子機器のフロント筐体４５内には回路基板４８が配置されており、該回路基板４８には様々な機能部品が内装される。筐体４４を構成するフロント筐体４５とリア筐体４６との間の嵌合隙間には、図１０に示されるように、シリコーンゴム等の柔軟に弾性変形する素材から成る防水パッキン（以下、筐体パッキン４９と表現する）が圧縮した状態で組み込まれている。なお、筐体パッキン４９は、アンテナ本体４１の回転軌跡（符号５１で示す）ではない位置に配置される。
【０００８】
次に、筐体４４に対するアンテナ本体４１の取付け構造について説明すると、図９〜図１１に詳細に示されるように、アンテナ本体４１はフランジ４２を介してリア筐体４６に取付けられる。フランジ４２にはねじ孔開口５３があり、リア筐体４６にはナット５４が埋め込まれており、ねじ孔開口５３を貫通したねじ５５をナット５４に螺合させることで、フランジ４２がリア筐体４６に固定される。ここで、フランジ４２と筐体４４との固定は、分割筐体の一方側であるリア筐体４６のみで完結している。
【０００９】
次に、アンテナ本体４１と回路基板４８とを導通させるアンテナ導通における防水構造について説明する。
アンテナの機能上、筐体防水範囲の外部に取付けられたアンテナ本体４１から筐体４４の内部に内装された回路基板４８まで導通させる必要があることから、筐体４４のリア筐体４６には端子開口部５７が設けられている。
この端子開口部５７には、フランジ４２に一体に形成されたピン突起５６が挿通されており、該ピン突起５６は、フロント筐体４５内の回路基板４８上に搭載されている導通端子５９と係合し導通する。これにより、アンテナ本体４１は、フランジ４２、ピン突起５６、導通端子５９を順次経由して回路基板４８に至って導通されることになる。
【００１０】
また、導通端子５９がリア筐体４６の端子開口部５７を貫通する際、これら導通端子５９と端子開口部５７とを密封封止するためのパッキンが必要となる。このため、一般的なアンテナ導通構造では、図１０及び図１１に示すように、フランジ４２のピン突起５６とリア筐体４６の端子開口部５７との隙間には、Ｏリング５８が圧縮実装されて密封止水している。
【先行技術文献】
【特許文献】
【００１１】
【特許文献１】特開２００２−１３５０２１公報
【発明の概要】
【発明が解決しようとする課題】
【００１２】
ところで、上記のようなアンテナの防水構造では、Ｏリング５８に隣接して、フランジ４２とリア筐体４６とを締結するねじ５５及びナット５４の締結部が配置されているので、リア筐体４６の端子開口部５７とフランジ４２のピン突起５６との相対位置は、当該締結部でのねじ締結具合で決定される。
例えば、ナット５４とフランジ４２のねじ孔開口５３との位置のばらつき、ねじ孔開口５３とねじ５５とのクリアランス及びねじ締結トルクが、フランジ４２のピン突起５６とリア筐体４６の端子開口部５７との中心位置にズレを生じさせ、Ｏリング５８の均一な圧縮を阻害する。
【００１３】
また、このＯリング５８を圧縮させた場合の反発力は全周均一になるが好ましい。Ｏリング５８の圧縮反発力を均一化するには、リア筐体４６の端子開口部５７に対するフランジ４２のピン突起５６の位置決定要因を、該Ｏリング５８の圧縮反発力のみにするのが理想であり、他の要因（例えば、上述した締結部に関する要因）が、Ｏリング５８への付勢に影響を与えることを極力排除することが好ましい。
また、上述した携帯電子機器では、筐体４４と、アンテナ本体４１が連結されるフランジ４２との固定は、分割筐体の一方側であるリア筐体４６のみで完結している。この種の構造は全体構成が簡素であるが、筐体４４から引き出したアンテナ本体４１に負荷が掛る場合、その負荷をリア筐体４６のみで受けることになるので機器強度が低下する要因ともなる。
【００１４】
本発明は、上述した事情に鑑みてなされたものであって、筐体へのアンテナ本体取付けに際して、一方の分割筐体にのみに負荷が掛かることを防止し、かつ筐体にアンテナ本体を締結させるためのねじの取付け状態が、導通端子の防水機能を行うパッキンの圧縮反発力に影響を与えず、該パッキンの圧縮反発力を均一化させることができる携帯電子機器におけるアンテナの取付け構造を提供する。
【課題を解決するための手段】
【００１５】
上記課題を解決するために、この発明は以下の手段を提案している。本発明のアンテナの取付け構造では、回路基板と導通されるアンテナ本体が筐体の防水範囲の外側に設けられた携帯電子機器であって、前記筐体は、前記回路基板が内蔵される一対の分割筐体により構成され、前記アンテナ本体は、前記分割筐体を結ぶように配置された連結部材により該分割筐体に取付けられ、前記連結部材と前記回路基板とは防水機能を有する防水端子を介して導通されていることを特徴とする。
【発明の効果】
【００１６】
本発明によれば、本発明によれば、アンテナ本体が、分割筐体を跨ぐように配置された連結部材により該分割筐体に取付けられているので、筐体へのアンテナ本体の取付けに際して、筐体に掛かる負荷を２つの分割筐体に分散して、一方の分割筐体にのみに負荷が掛かることを防止することができる。
また、連結部材と回路基板とを、例えば、該アンテナ本体とは離れた位置でかつ別部材に設けられた防水機能を有する防水端子により導通させることにより、筐体にアンテナ本体を締結させるための締結部の取付け状態（例えば、ねじの締め付け状態）が直接、防水端子に影響を与えることがない。すなわち、筐体にアンテナ本体を締結させるための締結部の状態が、導通端子の防水機能を行うパッキンの圧縮反発力に直接影響を与えず、該パッキンの圧縮反発力を均一化させ、安定した防水機能を維持することができる。
【図面の簡単な説明】
【００１７】
【図１】本発明の実施形態に係る防水電子機器におけるアンテナ本体１及び防水端子２０の設置箇所の分解図である。
【図２】図１のリア筐体６におけるフランジ保持開口１１、端子開口１０及びこれらに挿入されるフランジ部材３と防水端子２０を示す図である。
【図３】図１をＡ−Ａ線に沿って切断した断面図である。
【図４】図１をＢ−Ｂ線に沿って切断した断面図である。
【図５】図１をＣ−Ｃ線に沿って切断した断面図である。
【図６】実施形態の変形例１に係る防水電子機器におけるアンテナ本体１及び防水端子２０の設置箇所の分解図である。
【図７】図６をＤ−Ｄ線に沿って切断した断面図である。
【図８】防水電子機器におけるアンテナ本体４１及びこれを固定するフランジ４２の設置箇所の分解図である。
【図９】フランジ付近の分解構成図である。
【図１０】図８をＥ−Ｅ線に沿って切断した断面図である。
【図１１】図８をＦ−Ｆ線に沿って切断した断面図である。
【発明を実施するための形態】
【００１８】
本発明の一実施形態について、図１〜図７を参照して説明する。
図１は本発明の実施形態に係るアンテナの取付け構造の分解斜視図であって、符号１はアンテナ本体、符号２はアンテナ本体１が取付けられる筐体２を示している。
【００１９】
筐体２は、フロント筐体５とリア筐体６とからなる分割筐体からなり、これらフロント筐体５とリア筐体６との間には、アンテナ本体１を収納するアンテナ収納部７が形成されている。このアンテナ収納部７は、フロント筐体５とリア筐体６とが嵌合されたとき、アンテナ本体１を内部に完全に収納できるように全体として内面が円弧状に形成されている。
【００２０】
アンテナ本体１は、フロント筐体５及びリア筐体６からなる分割筐体を結ぶ、より具体的には、跨ぐように配置された連結部材６０により、これらフロント筐体５及びリア筐体６に対して取付けられる。また、アンテナ本体１は、フロント筐体５及びリア筐体６との嵌合面にある筐体パッキン１０（後述する）の外側、すなわち筐体２の防水範囲の外側に位置する。
この連結部材６０は、外周面にフランジ３Ａを有しかつアンテナ本体１の軸体を内部空間に挿通させるフランジ円筒部４を有するフランジ部材３と、一方側の分割筐体であるフロント筐体５側に設けられて該フランジ円筒部４に連結固定される固定ブロック１３と、該固定ブロック１３にフランジ円筒部４をねじ締結するための締結手段６１と、を有している。
フランジ円筒部４は、図２に示されるように、その内部空間に、アンテナ本体１の軸体が軸方向（図２に軸線を符号（イ）で示す）にスライド自在に挿通されるものであって、他方側の分割筐体であるリア筐体６に形成された円柱状のフランジ保持開口１１内に同軸上に挿入係合される。なお、この円柱状のフランジ保持開口１１は、リア筐体６におけるアンテナ収納部７の入口に形成される空間である。
【００２１】
固定ブロック１３にフランジ円筒部４をねじ締結するための締結手段６１について詳細に説明する。
フランジ円筒部４の外周面に設けられたフランジ３Ａにはねじ孔開口１２が形成されており、該ねじ孔開口１２を貫通して、フロント筐体５の固定ブロック１３に埋め込まれた締結用ナット１５に螺合されるねじ１４が挿通される。
そして、このようなねじ１４の締結用ナット１５への螺合によって、フランジ円筒部４が一方の分割筐体であるフロント筐体５に取付けられるとともに、該フランジ円筒部４がリア筐体６のフランジ保持開口１１に挿入係合されることで、他方の分割筐体であるリア筐体６に取付けられる。すなわち、アンテナ本体１が、連結部材６０のフランジ部材３を介して、フロント筐体５及びリア筐体６（分割筐体）を跨ぐように配置されることになる。
【００２２】
フロント筐体５上の固定ブロック１３には、概略コ字形状の中継端子１６が被せられる。中継端子１６は、フランジ３Ａと相対する中継端子フランジ面１７にナット１５のねじ穴に一致する孔１７Ａが形成され、その反対側に位置するフランジ逆面１８は先端が開くばね性能を有している。
中継端子１６のフランジ逆面１８は、図１及び図４に示されるように、フロント筐体５の固定ブロック１３に被せられた中継端子１６を覆うようリア筐体６が落とし込まれた場合に、リア筐体６の端面から突出している防水端子２０の端部２２（後述する）の面に対して、その付勢力に抗して弾性変形をしながら接触する。
そして、このような防水端子２０の端部２２の面に対する中継端子１６のフランジ逆面１８の弾性変形により、該防水端子２０が中継端子１６に密着されることになる。
【００２３】
リア筐体６には、図２〜図３に示されるように、アンテナ収納部７とその入り口のフランジ保持開口１１に隣接して、アンテナ導通を構成する端子を貫通させる端子開口１９が形成されている。
この端子開口１９には、回路基板９に導通される防水端子２０が貫通される。この防水端子２０は板金製であり、シリコーンゴム等の素材で端子パッキン２１が一体成形されており、リア筐体６の貫通部となる端子開口１９を経由して、筐体２内部へ挿入される。
【００２４】
リア筐体６の端子開口１９の隙間は、端子パッキン２１が圧縮実装されて密封止水する方向である外方に向けて広がることで密封止水される。防水端子２０の端子パッキン２１より外側（すなわち、リア筐体６の外側）に位置する端部２２は、略直角に折り曲げられ、その面はＷ字形状をしている。該防水端子２０の端部２２は、前述した締結部を介して中継端子１６、固定ブロック１３、フランジ円筒部４を介してアンテナ本体１に電気的に接続可能となっている。
また、筐体２内部に挿入された防水端子２０の内側２３は、図５に示されるように、リア筐体６の内壁と接し、回路基板９と相対する位置関係に配置される。回路基板９上には筐体２の高さ方向に圧縮されるばね性能を有する接続金具２４が搭載されており、防水端子２０の内側２３は、接続金具２４を介してリア筐体６の内壁に圧縮接触される。
そして、このような防水端子２０の内側２３がリア筐体６内壁に圧縮接触されることで、その付勢力の一部が防水端子２０の前端側に伝達され、図２及び図３に示されるように、該防水端子２０の端子パッキン２１の外周はリア筐体６の端子開口１９内周と接して全周が圧縮される。ここで、端子パッキン２１の圧縮により、該端子パッキン２１は外方に向けて弾性変形するとともに、リア筐体６の天面内面と接し、防水端子２０と端子開口１９内周との隙間をシールする。
【００２５】
一方、アンテナ本体１の先端にはアンテナ本体１より大きな樹脂製のパッド８が取付けらており、図４に示されるように、アンテナパッド８は完全に筐体２内部に収納されることなく、アンテナ本体１の筐体２収納時には携帯電子機器の一部の角部を構成する。
そして、使用者は、アンテナパッド８を持ってアンテナ本体１を軸方向（矢印（イ）方向）に引っ張ると、アンテナ本体１はフランジ円筒部４を通過して筐体２から引き出される。
【００２６】
アンテナパッド８と反対側のアンテナ本体１の奥側端部（図示略）は、該アンテナ本体１がフランジ円筒部４を抜け出ることを防止するために、フランジ円筒部４に対して保持拘束が生じる凸形状を有している。
【００２７】
フロント筐体５とリア筐体６の内部に回路基板９及び各種の機能部品（図示略）が内装される。また、フロント筐体５とリア筐体６からなる分割筐体の嵌合隙間には、図３及び図４に示されるように、シリコーンゴム等の柔軟に弾性変形する素材から成る防水パッキン（以下、筐体パッキン１０という）が圧縮した状態で組み込まれる。
また、アンテナ本体１は、前述したようにフランジ円筒部４に対して軸方向（矢印（イ）方向）にスライド自在に設けられるとともに、該スライド方向は、フロント筐体５及びリア筐体６の嵌合面とほぼ平行に位置する、すなわちアンテナ本体１と筐体パッキン１０とは機器の水平方向で重複するように配置されている。
これにより、アンテナ本体１をアンテナ軸方向（矢印（イ）方向）に引き出すことで、アンテナ本体１のスライド時の軌跡が、フロント筐体５及びリア筐体６の嵌合面に位置する筐体パッキン１０と干渉することが防止される。
【００２８】
ここで、防水端子２０に設けられた端子パッキン２１の圧縮状態について説明する。
本実施形態では防水端子２０と一体化されている端子パッキン２１の外周は、該防水端子２０取付け時に、リア筐体６の端子開口１９の内周と接触し、その全周で圧縮されるが、防水端子パッキン２１の圧縮に付勢する要因は、中継端子１６とのばね接触及び接続金具２４とのばね接触の双方に部分的に依存するのみで、全てに依存しているのではない。
具体的に説明すると、中継端子１６による防水端子２０へのばね接触による付勢方向は、防水端子２０の挿入方向と一致するものであり、これは端子パッキン２１の圧縮方向（外方）と直交している。
このため、中継端子１６と防水端子２０とのばね接触は、端子パッキン２１の圧縮（密封止水方向である外方への圧縮）に直接的に影響を与えるものではない。
【００２９】
一方、筐体２内の接続金具２４のばね圧縮による付勢の方向は、端子パッキン２１圧縮の一部の方向と一致するが、接続金具２４からの付勢を受ける防水端子２０の内側２３は、リア筐体６内壁と接しており、拘束された状態である。このため、接続金具２４からの付勢された防水端子２０は、該接続金具２３で付勢されたとしても、その付勢方向に弾性変形、移動することはなく、端子パッキン２１内部の防水端子２０の位置に偏りは生じない。
これにより、接続金具２４と防水端子２０とのばね接触により生じる付勢力は端子パッキン２１の圧縮変形（密封止水方向である外方への圧縮変形）に直接的に影響を与えるものではない。
【００３０】
以上の点をまとめると、（１）防水端子２０の端部２２は弾性材を介して中継端子１６とばね接触している、（２）中継端子１６と防水端子２０とのばね接触は、付勢方向の異なる端子パッキン２１の圧縮（密封止水方向である外方への圧縮）に直接的に影響を与えるものではない、（３）防水端子２０の内側２３は接続金具２４の付勢によりリア筐体６内壁に押圧されており、端子パッキン２１の圧縮（密封止水方向である外方への圧縮）に直接的に影響を与えるものではない。その結果、防水端子２０の周辺の構成部材が、リア筐体６の端子開口１９の内周面に対する、防水端子２０の端子パッキン２１の圧縮変形に大きな影響を与えることはなく、該端子パッキン２１による端子開口１９の安定した防水機能を付与することができる。
【００３１】
次に、本実施形態に係るアンテナの取付け構造の組み立て手順について説明する。 
機器の組立て工程について各構成毎に順次に説明すると、まず、リア筐体６の単品状態時に端子開口１９から防水端子２０を挿入する。
そして、リア筐体６の端子開口１９への防水端子２０によって、該防水端子２０の端子パッキン２１の外周は、端子開口１９内周面と接し全周が圧縮される。一方、筐体２内部に挿入された防水端子２０は、リア筐体６の天面内面と接した状態で配置される。
【００３２】
次に、リア筐体４と嵌合されるフロント筐体５の溝部内に筐体パッキン１０を実装し、防水端子２０と導通する接続金具２４が搭載された回路基板９、機能部品等をフロント筐体５へ内装し、フランジねじ締結ナット１５が埋め込まれている固定ブロック１３に中継端子１６を被せる。その後、事前組立てが終わったフロント筐体５とリア筐体６とを嵌合する。これにより、筐体パッキン１０は機器厚さ方向で圧縮され、フロント筐体５とリア筐体６との嵌合隙間を密封止水する。
【００３３】
一方、回路基板９に搭載された接続金具２４は筐体２内部の防水端子２０の内側２３と接触し、機器厚さ方向で圧縮される。これにより接続金具２４は、防水端子２０をリア筐体６の天面内面に押圧し、リア筐体６内壁に接した状態にある防水端子２０を位置決め及び固定する。
【００３４】
また、フロント筐体５とリア筐体６とを嵌合する際には、該リア筐体６は、フロント筐体５の固定ブロック１３に被せられた中継端子１６を覆うように落とし込まれる。このとき、リア筐体６からの押圧により、中継端子１６のフランジ逆面１８は、防水端子２０のリア筐体６から出ている端部２２の面に対して、その付勢力に抗して弾性変形しながら接触し、これにより防水端子２０と中継端子１６とが導通されることになる。
【００３５】
次に、フロント筐体５とリア筐体６の嵌合後に、フランジ部材３及びアンテナ本体１を筐体２に対して取付ける。
このとき、フランジ部材３の円筒部４にアンテナ本体１を貫通させた状態で、該アンテナ本体１をアンテナ収納部７に収納していくと、軸方向（矢印（イ）方向）に沿うように、フランジ円筒部４がリア筐体６のフランジ保持開口１１に挿入され、該フランジ保持開口１１により係合拘束される。
【００３６】
また、フランジ部材３のねじ孔開口１２はフロント筐体５のナット１５ねじ穴と同一軸上に相対するが、このとき、フランジ３Ａとフロント筐体５上の固定ブロック１３との間には中継端子１６が挟み込まれる。そして、この状態で、ねじ１４をナット１５に締結した場合には、フランジ３Ａのフランジねじ開口孔１２及び中継端子１６の中継端子フランジ面１７を通過することで、フランジ部材３、中継端子１６、固定ブロック１３はねじ１４を介して一体に結合されることになる。
ここで、フランジ部材３、中継端子１６、防水端子２０、接続金具２４は導通可能な金属で製造されていることから、アンテナ本体１とフランジ部材３はフランジ円筒部４で接触導通し、フランジ部材３と中継端子１６はねじ１４の締結部で供締めされ接触導通する。さらに、中継端子１６と防水端子２０はリア筐体６の端子開口１９の入り口にてばね性能を有する接触導通がなされ、また、防水端子２０と接続金具２４は筐体２内部でばね性能を有する接触導通がなされる。その結果、アンテナ本体１から回路基板９までの全経路の導通が維持される。
【００３７】
次に、アンテナ本体１を軸方向（矢印（イ）方向）に沿って筐体２のアンテナ収納部７に押し込むと、アンテナ本体１は筐体２内側に完全に収納されるとともに、該アンテナ本体１のアンテナパッド８は機器の角部を構成する。
また、アンテナパッド８を指先でつまみ、アンテナ本体１を軸方向（矢印（イ）方向）に引き出すと、アンテナ本体１は奥側端部がフランジ円筒部４に保持拘束されるまで引き出され、これによってアンテナ本体１は機器からの影響が受け難い状態で地上デジタルテレビ放送を受信可能となる。
【００３８】
以上詳細に説明したように本実施形態に示される携帯電子機器におけるアンテナの取付け構造によれば、アンテナ本体１が保持されるフランジ部材３のフランジ円筒部４が、リア筐体６のフランジ保持開口１１に挿入係合され、かつフランジ部材３はフロント筐体５とねじ締結される。すなわち、フランジ部材３が、分割筐体（フロント筐体、リア筐体６）の一方のみに固定されるものではなく、フロント筐体５とリア筐体６に跨るように配置されているので、筐体２から引き出したアンテナ本体１に負荷が掛ったとしても、その負荷をフロント筐体５及びリア筐体６の両筐体で受けることになり、電子機器の強度が向上する。
【００３９】
また、アンテナ本体１と回路基板９とを、ばね性能を有する中継端子１６を介して、該アンテナ本体１とは離れた位置でかつ別部材に設けられた防水機能を有する防水端子２０により導通させているので、筐体２にアンテナ本体１を締結させるための締結部の取付け状態（例えば、ねじの取付け状態）が直接、防水端子２０に直接的に影響を与えることを防止できる。すなわち、筐体２にアンテナ本体１を締結させるための締結部の状態が、導通端子の防水機能を行うパッキンの圧縮反発力に直接影響を与えず、該パッキンの圧縮反発力を均一化させ、安定した防水機能を維持することができる。具体的には、先に示す図９〜図１１にて問題となった、ねじ締結によるＯリング（端子防水部材）圧縮への付勢に関し、本実施形態ではフランジ部材３のねじ１４の締結が、防水端子２０による端子開口１９のシールに影響を与えることがなく、安定した防水機能を維持することができる。
【００４０】
また、フランジ部材３と中継端子１６の接続は、ねじ１４の締結によるものであるので、両者は強固に接触させられかつその導通が維持される。中継端子１６と防水端子２０とは、該中継端子１６がその付勢力に抗して弾性変形することでばね接触し、その導通が維持される。筐体２内部での防水端子２０と接続金具２４との接触では、接続金具２４が板状の防水端子２０と回路基板９との間に圧縮されながら挟まれる状態になるので、その接触は安定したものになり、その導通は維持される。
また、機器の組立て作業では、フロント筐体５の固定ブロック１３に被せられた中継端子１６を覆うようリア筐体６が落とし込まれ、中継端子１６が弾性変形をしながら防水端子２０の端部２２と接触していくので、組立て作業で端子の引っ掛かり等が生じなく、スムーズに行うことが可能である。
【００４１】
さらに、本実施形態の携帯電子機器におけるアンテナの取付け構造では、フランジ部材３は金属製部材であり強度を有する構造であるので、このフランジ部材３が機器の角部でフロント筐体５及びリア筐体６に跨り固定保持することで、筐体間の結合を補強することも可能となる。さらに、アンテナの取付け構造に必要な装置強度を、フランジ部材３を用いることにより付与しているので、装置の小型化、薄型化が可能となる。
【００４２】
上記実施形態は以下の変形例１〜６のように構成変更しても良い。
（変形例１）
上記実施形態では、中継端子１６を設けてフランジ部材３のフランジ３Ａと防水端子２０を導通させているが、中継端子１６と防水端子２０を一体化する構成も可能である。
例えば、図６及び図７に示すように、防水端子３１には防水パッキン３２が一体成形され、防水パッキン３２より外側の端部３３は孔３３Ａを介してフランジ部材３と供締めされ、フランジ部材３と接続導通し、防水端子３１の筐体内側３４は接続端子して回路基板９と接続導通する。
従って、変形例１では、中継端子１６が省略されることにより、全体の端子構成が簡略化され、部材コストの低減、組立て作業の削減が可能となる。
【００４３】
（変形例２）
上記実施形態では、アンテナ本体１が連結部材６０を介して筐体２からの引き出し可能としたが、これに限定されず、該連結部材６０に対して、アンテナ本体１がスライドしないように設けても良い。その際、アンテナ本体１が筐体２の防水範囲の外側に取付けられる場合は、アンテナ本体１から筐体２内の回路基板９までの防水導通端子の構成として、上記実施形態で示す構成の適用が可能である。
【００４４】
（変形例３）
上記実施形態では、フランジ部材３のフランジ円筒部４を一方の分割筐体であるリア筐体６に固定し、他方の分割筐体であるフロント筐体５に、フランジ３Ａを介してフランジ円筒部４を固定するようにしたが、これらフロント筐体５及びリア筐体６は逆の配置であっても良い。
【００４５】
（変形例４）
上記実施形態に示されるフロント筐体５に締結されるねじ１４及びナット１５において、フランジ３Ａの接触面と反対側に位置するナット１５の面も、該フロント筐体５の固定ブロック１３から露出させるようにしても良い。このとき、防水端子２０の端部２２を筐体２の外側面に配置し、該防水端子２０の端部２２と、露出したナット１５の面との直接接触により、フランジ３Ａ、ナット１５、防水端子２０を通じた導通経路を確保しても良い
【００４６】
（変形例５）
上記実施形態に示される、端子開口１９を貫通する防水端子２０と端子パッキン２１との構成において、板金製端子とこれに一体成形するパッキンではなく、ピン形状端子とＯリングとを用いることでシールしても良い。
【００４７】
（変形例６）
上記実施形態では、防水端子２０と回路基板９との導通に接続金具２４を使用せず、防水端子２０の筐体内部側端部にばね材を設けて、防水端子２０と回路基板９とを直接、接触導通する構成も可能である。
【００４８】
また、上記実施形態の一部又は全部は、以下の付記のようにも記載されるが、以下には限定されない。
【００４９】
（付記１）
回路基板と導通されるアンテナ本体が筐体の防水範囲の外側に設けられた携帯電子機器であって、
前記筐体は、前記回路基板が内蔵される一対の分割筐体により構成され、前記アンテナ本体は、前記分割筐体を結ぶように配置された連結部材により該分割筐体に取付けられ、
前記連結部材と前記回路基板とは防水機能を有する防水端子を介して別途導通されていることを特徴とする携帯電子機器におけるアンテナの取付け構造。
【００５０】
（付記２）
前記防水端子は、前記アンテナ本体とは離れた位置でかつ別部材に設けられていることを特徴とする付記１に記載の携帯電子機器におけるアンテナの取付け構造。
【００５１】
（付記３）
前記連結部材は、前記アンテナ本体の軸体を挿通させるフランジ円筒部を有するフランジ部材と、前記分割筐体のいずれか一方に設けられて該フランジ円筒部に連結固定される固定ブロックと、を具備し、
前記フランジ部材のフランジ円筒部は、前記固定ブロックを介して前記一方の分割筐体に固定されるとともに、他方の分割筐体に形成された円柱状空間内に同軸上に挿入係合されることを特徴とする付記１に記載の携帯電子機器におけるアンテナの取付け構造。
【００５２】
（付記４）
前記連結部材は、前記アンテナ本体を両分割筐体に非スライド状態で固定することを特徴とする付記１に記載の携帯電子機器におけるアンテナの取付け構造。
【００５３】
（付記５）
前記防水端子は、いずれか一方の分割筐体の端子開口部を貫通し該端子開口部の間隙に防水部材となるパッキンが配置される防水端子を有することを特徴とする付記１に記載の携帯電子機器におけるアンテナの取付け構造。
【００５４】
（付記６）
前記防水端子は、中継端子を介して前記連結部材に接続されることを特徴とする付記５に記載の携帯電子機器におけるアンテナの取付け構造。
【００５５】
（付記７）
前記中継端子は、前記連結部材及び前記いずれか一方の分割筐体上の固定ブロックに対してねじ締結されることにより、前記アンテナ本体と導通することを特徴とする付記６に記載の携帯電子機器におけるアンテナの取付け構造。
【００５６】
（付記８）
前記中継端子と前記防水端子との接触部には、前記防水部材を密封止水する方向とは直交する方向に該防水端子を付勢する付勢手段が設けられている付記７に記載の携帯電子機器におけるアンテナの取付け構造。
【００５７】
（付記９）
前記連結部材は、前記フランジ円筒部の外周面に設けられたフランジ部のねじ開口を介して前記いずれか一方の分割筐体上の固定ブロックに対してねじ締結されることを特徴とする付記３に記載の携帯電子機器におけるアンテナの取付け構造。
【００５８】
（付記１０）
前記防水端子は、前記分割筐体の内側位置にて、ばね性能を有する接続部を介して前記回路基板と接触されることを特徴とする付記１に記載の携帯電子機器におけるアンテナの取付け構造。
【００５９】
（付記１１）
前記防止端子は前記接続部の付勢により前記分割筐体の内壁に対して密着することにより、前記防水部材の密封止水する方向への圧縮変形に影響を与えないことを特徴とする付記１０に記載の携帯電子機器におけるアンテナの取付け構造。
【００６０】
（付記１２）
前記アンテナ本体は、前記連結手段のフランジ円筒部内にて該フランジ円筒部に対して軸方向にスライド自在に設けられるとともに、該スライド方向は、前記分割筐体の嵌合面とほぼ平行に位置することを特徴とする付記３に記載の携帯電子機器におけるアンテナの取付け構造。
【００６１】
以上のように本発明の携帯電子機器におけるアンテナの取付け構造について実施形態を示して説明したが、本願発明はこの実施形態に限定されるものではなく、その技術思想を逸脱しない範囲で種々変更して実施することが可能であることは言うまでもない。
【産業上の利用可能性】
【００６２】
本発明は、携帯電子機器（携帯電話、スマートホン、デジタル機器等）に係り、防水機能を備えた携帯電子機器におけるアンテナの取付け構造に関する。
【符号の説明】
【００６３】
１  アンテナ本体
２  筐体
３  フランジ部材
３Ａ  フランジ
４  フランジ円筒部（分割筐体）
５  フロント筐体（分割筐体）
６  リア筐体
７  アンテナ収納部
８  アンテナパッド
９  回路基板
１０  筐体パッキン
１１  フランジ保持開口
１２  ねじ孔開口
１３  固定ブロック
１４．ねじ
１５  ナット
１６  中継端子
１７  フランジ面
１８  フランジ逆面
１９  端子開口
２０  防水端子
２１  端子パッキン
２２  （防水端子２０の）外側端部
２３  （防水端子２０の）内側
２４  接続金具
３１  防水端子
３２  端子パッキン
３３  （防水端子３１の）外側端部
３４  （防水端子３１の）内側
【図１】
2013143721.tif 000003
【図２】
2013143721.tif 000004
【図３】
2013143721.tif 000005
【図４】
2013143721.tif 000006
【図５】
2013143721.tif 000007
【図６】
2013143721.tif 000008
【図７】
2013143721.tif 000009
【図８】
2013143721.tif 000010
【図９】
2013143721.tif 000011
【図１０】
2013143721.tif 000012
【図１１】
2013143721.tif 000013